(57)【要約】【課題】土木工事における的確な内容の質問票をより簡単に生成することができる土木工事質問票生成システムを提供すること。【解決手段】土木工事質問票生成システム２００は、土木工事の金額を算出する際の留意事項を工事項目毎に記述した留意事項テーブル、を格納するテーブル格納部２１０と、土木工事の設計書データを取得する設計書取得部２２０と、留意事項テーブルを参照して、設計書データに含まれる工事項目に対応する留意事項に基づき、土木工事の質問票を生成する質問票生成部２９０と、を有する。【選択図】図３
2016071779.tif 000002
【特許請求の範囲】
【請求項１】
土木工事の金額を算出する際の留意事項を工事項目毎に記述した留意事項テーブル、を格納するテーブル格納部と、
前記土木工事の設計書データを取得する設計書取得部と、
前記留意事項テーブルを参照して、前記設計書データに含まれる前記工事項目に対応する前記留意事項に基づき、前記土木工事の質問票を生成する質問票生成部と、を有する、
土木工事質問票生成システム。
【請求項２】
前記留意事項テーブルは、前記土木工事の積算基準に基づいて生成されたテーブルである、
請求項１に記載の土木工事質問票生成システム。
【請求項３】
前記留意事項テーブルは、前記留意事項として、前記土木工事の受注者側で前記土木工事の設計図書から確認すべき確認事項と、前記土木工事の発注者側に質問すべき質問事項と、を対応付けて記述しており、
前記質問票生成部は、
確認することができなかった前記確認事項を選択する操作を受け付け、選択された前記確認事項に対応する前記質問事項を含む前記質問票を生成する、
請求項２に記載の土木工事質問票生成システム。
【請求項４】
前記質問票生成部は、
前記留意事項テーブルを参照して、前記設計書データに含まれる前記工事項目に対応する前記確認事項をリスト化した確認リストを生成する確認リスト生成部と、
前記確認リストを表示して、前記設計図書から確認することができなかった前記確認事項を選択する操作を受け付ける選択受付部と、
前記留意事項テーブルを参照して、選択された前記確認事項に対応する前記質問事項をリスト化した質問リストを生成する質問リスト生成部と、
前記質問リストを書面化した前記質問票を生成して出力する質問票出力部と、を有する、
請求項３に記載の土木工事質問票生成システム。
【請求項５】
前記質問リストを表示して、前記質問事項の文章を編集する操作を受け付ける編集受付部、を更に有し、
前記質問票出力部は、
文章の編集が行われた前記質問事項については、編集後の文章を用いて前記質問票を生成する、
請求項４に記載の土木工事質問票生成システム。
【請求項６】
前記テーブル格納部は、
工事属性毎に、当該工事属性を有する土木工事に用いられる積算基準に基づいて生成された前記留意事項テーブルを格納し、
前記設計書取得部は、
前記設計書データに対応する前記土木工事の前記工事属性、を取得し、
前記確認リスト生成部は、
取得された前記工事属性に対応する前記留意事項テーブルを参照して、前記確認リストを生成する、
請求項４に記載の土木工事質問票生成システム。
【請求項７】
前記テーブル格納部は、
工事属性毎に前記確認事項の重要度を示す重要度情報を記述した回答履歴テーブル、を格納し、
前記設計書取得部は、
前記設計書データに対応する前記土木工事の前記工事属性、を取得し、
前記確認リスト生成部は、
前記設計書データに含まれる前記工事項目に対応する前記確認事項が複数存在するとき、前記回答履歴テーブルを参照し、取得された前記工事属性に対応する前記重要度情報に基づいて、前記重要度がより高い前記確認事項がより優先して確認されるように、前記確認リストの編集を行う、
請求項４に記載の土木工事質問票生成システム。
【請求項８】
前記確認リストの編集は、前記重要度がより高い前記確認事項に対する強調、前記重要度がより高い前記確認事項への絞り込み、および、前記重要度に応じた前記複数の確認事項の提示順序の設定、のうち少なくとも１つを含む、
請求項７に記載の土木工事質問票生成システム。
【請求項９】
前記発注者側から質問回答書が出された前記土木工事の前記工事属性に対応付けて前記重要度情報を入力する操作、を受け付けて、前記回答履歴テーブルの更新を行う結果記録部、を有する、
請求項８に記載の土木工事質問票生成システム。
【請求項１０】
土木工事の設計書データを取得するステップと、
工事項目毎に前記土木工事の金額を算出する際の留意事項を記述した留意事項テーブル、を参照して、前記設計書データに含まれる前記工事項目に対応する前記留意事項に基づき、前記土木工事の質問票を生成するステップと、を有する、
土木工事質問票生成方法。
【請求項１１】
コンピュータに、
土木工事の設計書データを取得する処理と、
工事項目毎に前記土木工事の金額を算出する際の留意事項を記述した留意事項テーブル、を参照して、前記設計書データに含まれる前記工事項目に対応する前記留意事項に基づき、前記土木工事の質問票を生成する処理と、を実行させる、
土木工事質問票生成プログラム。
【発明の詳細な説明】
【技術分野】
【０００１】
本発明は、土木工事の質問票を生成するための、土木工事質問票生成システム、土木工事質問票生成方法、および土木工事質問票生成プログラムに関する。
【背景技術】
【０００２】
工事の受注者側が、各種施工条件を工事の入札段階から正しく把握しておくことは、非常に重要である。施工条件についての誤認や把握不足があると、施工計画の変更に伴う多大な金銭的損害が生じるおそれがあるからである。
【０００３】
ところが、入札段階において発注者側から提示される設計図書は、上記損害を防ぐのに必要な全ての情報を網羅していないのが通常である。そこで、入札の前に、受注者から発注者に対して質問を行う機会が設けられている。質問は、質問事項をリスト化した質問票の提出によって行われる。これにより、設計図書から判断することができない施工条件について、受注者と発注者との間で共通の認識を持つことが可能となる。
【０００４】
ところで、土木工事は、他の工事に比べて、上記損害の額が大きくなり易いという特徴を有する。土木工事は、地盤の状態や気候等、施工者側でコントロールすることができない要素の占める割合が大きいからである。したがって、土木工事の受注者は、上記損害を防ぐのに必要な施工条件を、できるだけ漏れなく問い合わせるような質問票を作成する必要がある。なお、土木工事の質問票を作成するための技術の蓄積はなく、記載すべき先行技術文献情報はない。
【発明の概要】
【発明が解決しようとする課題】
【０００５】
しかしながら、土木工事における工事金額に影響する施工条件の数は、膨大である。また、土木工事を構成する工事種別は工事毎に大幅に異なるため、工事金額に影響する施工条件も土木工事毎に全く異なる。したがって、これまで、熟練の土木積算技術者でなければ、的確な質問票を作成することは困難であった。また、土木工事の規模が大きいほど、的確な質問票を作成するのに多大な時間を要していた。
【０００６】
入札の段階では、受注できるか否かは不確定である。このため、質問票作成のためのコストを低減すべく、的確な内容の質問票をできるだけ簡単に生成することを可能にする技術が望まれる。
【０００７】
本発明の目的は、土木工事における的確な内容の質問票をより簡単に生成することができる、土木工事質問票生成システム、土木工事質問票生成方法、および土木工事質問票生成プログラムを提供することである。
【課題を解決するための手段】
【０００８】
本発明の一態様に係る土木工事質問票生成システムは、土木工事の金額を算出する際の留意事項を工事項目毎に記述した留意事項テーブル、を格納するテーブル格納部と、前記土木工事の設計書データを取得する設計書取得部と、前記留意事項テーブルを参照して、前記設計書データに含まれる前記工事項目に対応する前記留意事項に基づき、前記土木工事の質問票を生成する質問票生成部と、を有する。
【０００９】
本発明の一態様に係る土木工事質問票生成方法は、土木工事の設計書データを取得するステップと、工事項目毎に前記土木工事の金額を算出する際の留意事項を記述した留意事項テーブル、を参照して、前記設計書データに含まれる前記工事項目に対応する前記留意事項に基づき、前記土木工事の質問票を生成するステップと、を有する。
【００１０】
本発明の一態様に係る土木工事質問票生成プログラムは、コンピュータに、土木工事の設計書データを取得する処理と、工事項目毎に前記土木工事の金額を算出する際の留意事項を記述した留意事項テーブル、を参照して、前記設計書データに含まれる前記工事項目に対応する前記留意事項に基づき、前記土木工事の質問票を生成する処理と、を実行させる。
【発明の効果】
【００１１】
本発明によれば、土木工事における的確な内容の質問票をより簡単に生成することができる。
【図面の簡単な説明】
【００１２】
【図１】本発明の一実施の形態における工事項目の構成の一例を示す図
【図２】本実施の形態における各図書の記載内容の例を示す図
【図３】本実施の形態に係る土木工事質問票生成システムの構成の一例を示すブロック図
【図４】本実施の形態における留意事項テーブルの構成の一例を示す図
【図５】本実施の形態に係る土木工事質問票生成システムの動作の一例を示すフローチャート
【図６】本実施の形態における工事内訳表画面の一例を示す図
【図７】本実施の形態における質問票生成処理の一例を示すフローチャート
【図８】本実施の形態における確認用画面の一例を示す図
【図９】本実施の形態における質問票作成画面の一例を示す図
【図１０】本実施の形態における質問票の一例を示す図
【図１１】本実施の形態における回答履歴テーブルの一例を示す図
【図１２】本実施の形態における質問票管理画面の一例を示す図
【発明を実施するための形態】
【００１３】
＜本実施の形態の概要＞
土木工事の入札者（受注者）は、入札に際して、土木工事の発注者から提示される設計図書と、当該発注者の積算基準と、に基づいて、受注した場合の工事金額の見積を算出する。
【００１４】
ここで、設計図書とは、設計内訳書、図面、仕様書（共通仕様書および特記仕様書）、施工管理基準（品質管理基準および出来形管理基準）、および現場説明書等であり、工事の設計内容を示す図書あるいはデータである。また、積算基準とは、工事金額を算出する際の、各工事部分の数量（資材量、機材量、および人工等）の算定に関するルールであり、通常、発注者毎あるいは工事の分野毎に予め用意されている。
【００１５】
但し、積算基準の各部には、土壌の種類が土砂であるか否か等、適用条件（つまり、上述の施工条件）が定められている。適用条件を満たす工事部分については、積算基準の記載に従って数量を算出すればよい。ところが、適用条件を満たさない工事部分については、別途、詳細な検討あるいは発注者への確認を行った上で、数量を見積もる必要がある。
【００１６】
したがって、受注者は、まず、設計図書の記載内容から、各工事部分が対応する適用条件を満たすか否かを判断する。なお、設計図書の内容および積算基準の内容は、土木工事を構成する複数のより小規模な工事の種別（以下「工事項目」という）を単位として、記述されている。したがって、受注者は、工事項目毎に、適用条件についての検討を行う。そして、受注者は、設計図書において適用条件が不明な工事部分が存在する場合、上述の質問票にて発注者に問い合わせる。
【００１７】
しかしながら、積算基準から、判断対象とすべき適用条件を都度抽出する作業には、膨大な時間と手間が掛かる。このため、人手によって適用条件を洗い出す場合、判断対処とする適用条件（つまり、質問票の質問事項）自体に、抜けが生じ得る。
【００１８】
そこで、本発明の一実施の形態に係る土木工事質問票生成システムは、工事金額を算出する際の適用条件の全てについて、質問事項を工事項目毎に記述したテーブルを、格納しておく。そして、本実施の形態に係る土木工事質問票生成システムは、かかるテーブルを参照して、設計内訳書に含まれる工事項目に対応する質問事項を抽出し、質問票を生成する。
【００１９】
これにより、本実施の形態に係る土木工事質問票生成システムは、過不足の無い質問事項を列挙した、的確な内容の質問票を、簡単に生成する。以下、かかる土木工事質問票生成システムについて、図面を参照して詳細に説明する。
【００２０】
＜工事項目について＞
まず、本実施の形態において用いられる、土木工事の工事項目について説明する。
【００２１】
図１は、土木工事における工事項目の構成の一例を示す図である。
【００２２】
図１に示すように、土木工事における工事項目１１０は、複数レベル（階層）のツリー形式の項目により構成される。工事項目１１０は、上の階層から順に、工事区分１１１、工種１１２、種別１１３、細別１１４、および規格１１５を含み、これらの組み合わせから成る。例えば、ある工事項目１１０は、「築堤・護岸、河川土工、掘削工、掘削、土質」である。なお、工事項目１１０は、更に下位の階層の項目を含んでもよいし、上位の階層の項目のみから成っていてもよい。
【００２３】
図２は、各図書の記載内容の例を示す図である。
【００２４】
図２に示すように、例えば、設計内訳書１２１と、共通仕様書１２２、品質管理基準１２３、および出来形管理基準１２４との間では、共通の工事項目が用いられる。したがって、入札者は、工事項目を図書間（データ間）の情報のリンクとして用いて、設計内訳書１２１の各工事部分の数量についての検討および決定を行うことができる。
【００２５】
＜土木工事質問票生成システムの構成＞
次に、本実施の形態に係る土木工事質問票生成システムの構成について説明する。
【００２６】
図３は、本実施の形態に係る土木工事質問票生成システムの構成の一例を示すブロック図である。
【００２７】
なお、図示しないが、図３に示す土木工事質問票生成システム２００は、例えば、ＣＰＵ（Central Processing Unit）、制御プログラムを格納したＲＯＭ（Read Only Memory）等の記憶媒体、およびＲＡＭ（Random Access Memory）等の作業用メモリを有する。この場合、以下に説明する土木工事質問票生成システム２００の各部の機能は、ＣＰＵが制御プログラムを実行することにより実現される。
【００２８】
すなわち、土木工事質問票生成システム２００は、例えば、タブレット端末やパーソナルコンピュータにインストールされたアプリケーションソフトウェアの形態をとる。具体的には、土木工事質問票生成システム２００は、例えば、既存の表作成ソフトウェアのアドインである。
【００２９】
また、土木工事質問票生成システム２００は、例えば、通信回路を有し、かかる通信回路を使用した通信により、サーバ装置やプリンタ等の他の装置との間でのデータの入出力を行う。また、土木工事質問票生成システム２００は、例えば、タッチパネル付き液晶ディスプレイ等のユーザインタフェースを有し、かかるユーザインタフェースを用いて、情報表示や操作の受け付けを行う。
【００３０】
図３において、土木工事質問票生成システム２００は、テーブル格納部２１０、設計書取得部２２０、確認リスト生成部２３０、選択受付部２４０、質問リスト生成部２５０、編集受付部２６０、質問票出力部２７０、および結果記録部２８０を有する。
【００３１】
テーブル格納部２１０は、留意事項テーブルを予め格納している。留意事項テーブルとは、工事項目毎に土木工事の金額を算出する際の留意事項を記述したテーブルである。留意事項は、確認事項と質問事項とを含む。確認事項とは、土木工事の受注者側で土木工事の設計図書から確認すべき事項である。質問事項とは、土木工事の発注者側に質問すべき事項である。
【００３２】
図４は、留意事項テーブルの構成の一例を示す図である。
【００３３】
図４に示すように、留意事項テーブル３１０は、工事項目３１１毎に、確認事項３１２と質問事項３１３との組を記述している。なお、確認事項３１２および質問事項３１３は、それぞれテキストデータである。
【００３４】
例えば、「築堤・護岸、河川土工、掘削工、掘削」という工事項目３１１に対応付けて、「切取り幅は５ｍ以上であることが図面等で確認できますか？」という確認事項３１２が記述されている。更に、「掘削箇所の切取り幅が図面上では確認できません。詳細図を示して頂くか想定する切取り幅をお教え下さい。」という質問事項３１３が記述されている。
【００３５】
これは、例えば、積算基準において、「築堤・護岸、河川土工、掘削工、掘削」という工事項目について、適用条件が「切取り幅が５ｍ以上であること」を含んでいるためである。すなわち、留意事項テーブル３１０は、積算基準に基づいて、キーワード検索等により自動的に、あるいは、人手により、生成されたものである。
【００３６】
また、確認事項３１２が、設計図書での確認を促す内容であるのに対し、質問事項３１３は、丁寧語で回答を促す内容となっている。これは、前者が土木工事質問票生成システム２００のユーザ（入札者側）を対象とした文章であり、後者が客先である発注者を対象とした文章であるためである。
【００３７】
なお、土木工事質問票生成システム２００は、確認事項３１２と質問事項３１３との組毎に、留意事項としての識別情報（以下「質問内容識別情報」という）を割り当てている。
【００３８】
また、テーブル格納部２１０は、土木工事の工事属性毎に、留意事項テーブル３１０を格納しているものとする。工事属性とは、発注者、工事の分野、工事の場所等である。
【００３９】
図３の設計書取得部２２０は、質問票作成の対象となる土木工事の設計書データを取得する。ここで、設計書データとは、土木工事に含まれる工事項目を網羅したデータであり、例えば、設計内訳書のデータである。設計書取得部２２０は、例えば、発注者の情報サーバにアクセスして、設計書データを取得する。なお、設計書データの取得は、ユーザによる手入力等により行われてもよい。更に、設計書取得部２２０は、設計書データに対応する土木工事の工事属性を、設計書データと同様に取得する。そして、設計書取得部２２０は、取得した設計書データおよび工事属性を、確認リスト生成部２３０へ出力する。
【００４０】
確認リスト生成部２３０は、入力された設計書データに基づき、入力された工事属性に対応する留意事項テーブル３１０（図４参照）を参照して、確認リストを生成する。確認リストとは、設計書データに含まれる工事項目に対応する確認事項３１２（図４参照）を、リスト化したものである。例えば、確認リスト生成部２３０は、Ａ社が発注する土木工事について質問票を生成する場合、Ａ社に対応して生成された留意事項テーブル３１０を参照する。また、確認リスト生成部２３０は、Ｂ社が発注する土木工事について質問票を生成する場合、Ｂ社に対応して生成された留意事項テーブル３１０を参照する。そして、確認リスト生成部２３０は、生成した確認リストおよび工事属性を、選択受付部２４０へ出力する。
【００４１】
なお、確認リスト生成部２３０は、設計書データに含まれる工事項目に対応する確認事項が複数存在するとき、テーブル格納部２１０に格納された回答履歴テーブルを参照する。回答履歴テーブルとは、詳しくは後述するが、工事属性毎に確認事項の重要度を示す重要度情報を記述したテーブルである。そして、確認リスト生成部２３０は、入力された工事属性に対応する重要度情報に基づいて、重要度がより高い確認事項がより優先して確認されるように、確認リストの編集を行う。
【００４２】
ここで、確認リストの編集は、重要度がより高い確認事項に対する強調、重要度がより高い確認事項への絞り込み、および、重要度に応じた複数の確認事項の提示順序の設定、のうち少なくとも１つを含むものとする。
【００４３】
選択受付部２４０は、入力された確認リストを表示する。これにより、ユーザは、リストアップされた確認事項に従って、各適用条件に関する記載が設計図書にあるか否かを、確認することができる。更に、選択受付部２４０は、設計図書から確認することができなかった確認事項を選択する操作を、ユーザから受け付ける。これにより、ユーザは、設計図書から確認することができなかった確認事項を、確認リストから選択する操作を行うことができる。そして、選択受付部２４０は、選択された確認事項を示す未確認事項情報および入力された工事属性を、質問リスト生成部２５０へ出力する。
【００４４】
質問リスト生成部２５０は、入力された未確認事項情報に基づき、留意事項テーブル３１０（図４参照）を参照して、質問リストを生成する。質問リストとは、選択された確認事項３１２（図４参照）に対応する質問事項３１３（図４参照）を、リスト化したものである。そして、質問リスト生成部２５０は、生成した質問リストおよび入力された工事属性を、編集受付部２６０へ出力する。
【００４５】
編集受付部２６０は、入力された質問リストを表示して、質問リストにおける質問事項の文章を編集する操作を、ユーザから受け付ける。これにより、ユーザは、実際に出力される質問票における質問の文章を、状況に応じて変更することができる。そして、編集受付部２６０は、適宜修正が行われた質問リストおよび入力された工事属性を、質問票出力部２７０へ出力する。
【００４６】
質問票出力部２７０は、入力された質問リストを書面化した質問票を、生成して出力する。なお、質問票出力部２７０は、編集受付部２６０により文章の編集が行われた質問事項については、編集後の文章を用いて、質問票を生成することになる。質問票の出力は、プリンタを用いた印刷や、発注者へのデータ送信により行われる。また、質問票出力部２７０は、生成した質問票（のデータ）および入力された工事属性を、結果記録部２８０へ出力する。
【００４７】
結果記録部２８０は、質問票に対する発注者からの回答の結果を記録するために、入力された質問票に基づき、入力された工事属性に対応付けて当該質問票に対応する回答履歴テーブルを生成して、テーブル格納部２１０に格納させる。また、結果記録部２８０は、質問票のデータについても、テーブル格納部２１０に格納させる。そして、結果記録部２８０は、発注者側から質問回答書が出された土木工事の工事属性に対応付けて、回答結果を入力する操作を、ユーザから受け付けて、回答履歴テーブルの更新を行う。
【００４８】
例えば、積算基準の適用条件を満たさず、コストが跳ね上がった工事部分があったとする。このような工事部分についての確認事項は、同じ工事属性の他の土木工事においても、積極的に確認すべき事項である可能性が高い。したがって、回答履歴テーブルは、回答結果が記録されることにより、結果的に、工事属性に対応付けて各確認事項の重要度（重要度情報）を記述するテーブルとなる。
【００４９】
なお、確認リスト生成部２３０〜質問票出力部２７０は、質問票生成部２９０と捉えることもできる。質問票生成部２９０は、つまり、留意事項テーブル３１０（図４参照）を参照して、設計書データに含まれる工事項目に対応する留意事項を抽出し、抽出された留意事項に基づいて、質問票を生成する。
【００５０】
このような構成を有する土木工事質問票生成システム２００は、工事金額を算出する際の適用条件の全てについて、留意事項を工事項目毎に記述したテーブルを参照して、確認リストを生成して表示することができる。そして、土木工事質問票生成システム２００は、確認リストにリストアップされた留意事項のうち、ユーザが確認することができなかった留意事項に絞って、質問票を生成して出力することができる。
【００５１】
＜土木工事質問票生成システムの動作＞
次に、土木工事質問票生成システム２００の動作について、表示画面の例を図示しながら説明する。
【００５２】
図５は、土木工事質問票生成システム２００の動作の一例を示すフローチャートである。
【００５３】
ステップＳ１０００において、設計書取得部２２０は、ユーザ操作等により、質問票を新規作成することを指示されたか否かを判断する。設計書取得部２２０は、例えば、工事内訳表画面を生成して表示する。工事内訳表画面は、設計内訳書のデータから所定の階層の工事項目を抽出する等して予め取得した、土木工事の工事内訳表を、表示する画面である。そして、設計書取得部２２０は、工事内訳表画面を用いて、かかる指示の操作をユーザから受け付ける。
【００５４】
図６は、工事内訳表画面の一例を示す図である。
【００５５】
図６に示すように、工事内訳表画面４１０は、工事識別情報表示欄４１１、工事内訳表表示欄４１２、確認リスト画面表示ボタン４１３、および質問票管理画面表示ボタン４１４を有する。
【００５６】
工事識別情報表示欄４１１は、工事番号や工事名称等の、土木工事の識別情報を表示する欄である。工事内訳表表示欄４１２は、工事内訳表を表示する欄である。工事内訳表表示欄４１２は、ユーザ操作によって移動可能なカーソル４１５を有する。確認リスト画面表示ボタン４１３は、クリック操作を受けて、後述の確認リスト画面を表示するためのボタンである。質問票管理画面表示ボタン４１４は、クリック操作を受けて、後述の質問票管理画面を表示するためのボタンである。
【００５７】
設計書取得部２２０は、例えば、カーソル４１５がいずれかの工事部分（例えば、工事区分等の大分類）に合わせられた状態で、確認リスト画面表示ボタン４１３がクリックされたとき、当該工事部分についての質問票を新規作成することを指示されたと判断する。
【００５８】
図５において、設計書取得部２２０は、質問票を新規作成することを指示された場合（Ｓ１０００：ＹＥＳ）、処理をステップＳ２０００へ進める。また、設計書取得部２２０は、質問票を新規作成することを指示されていない場合（Ｓ１０００：ＮＯ）、処理を後述のステップＳ３０００へ進める。
【００５９】
ステップＳ２０００において、土木工事質問票生成システム２００は、質問票生成処理を実行する。質問票生成処理は、質問票を生成して出力する処理である。
【００６０】
図７は、質問票生成処理の一例を示すフローチャートである。
【００６１】
ステップＳ２０１０において、設計書取得部２２０は、質問票生成の対象となっている工事部分の、設計書データ（例えば、設計内訳書のデータ）および工事属性を取得する。なお、設計書取得部２２０は、予め、処理対象となる土木工事の設計書データおよび工事属性を取得しておき、選択された工事部分に対応する内容を特定するのみでもよい。
【００６２】
ステップＳ２０２０において、確認リスト生成部２３０は、設計書データから、質問票生成の対象となる工事部分に含まれる工事項目を抽出する。
【００６３】
ステップＳ２０３０において、確認リスト生成部２３０は、留意事項テーブル３１０（図４参照）を参照して、抽出された工事項目に対応する確認事項を抽出し、確認リストを生成する。
【００６４】
ステップＳ２０４０において、確認リスト生成部２３０は、質問票生成の対象となっている土木工事（あるいは工事部分）と、工事属性が共通する回答履歴テーブルに基づいて、確認リストを編集する。回答履歴テーブルの詳細については、後述する。そして、確認リスト生成部２３０は、適宜編集した確認リストを含む確認用画面を生成し、表示する。なお、以下の説明において、確認リストは、適宜、「質問ポイントチェックシート」とも称する。
【００６５】
図８は、確認用画面の一例を示す図である。
【００６６】
図８に示すように、確認用画面４２０は、工事識別情報表示欄４２１、チェックシート表示欄４２２、質問チェック項目追加ボタン４２３、チェックシート操作ボタン表示欄４２４、および質問票作成ボタン４２５を有する。
【００６７】
工事識別情報表示欄４２１は、質問票生成の対象となっている工事部分が属する、土木工事の識別情報を表示する欄である。チェックシート表示欄４２２は、抽出された確認事項をリスト化した、質問ポイントチェックシート（確認リスト）を表示する欄である。なお、質問ポイントチェックシートは、確認対象表示欄、チェック入力欄、ポイント（重要度）表示欄、工事区分（中分類、小分類、細分類）表示欄、および変更ポイント（確認項目）表示欄から成る、質問チェック項目を、縦に一覧表示している。
【００６８】
質問チェック項目追加ボタン４２３は、質問チェック項目を質問ポイントチェックシートに追加するためのボタンである。チェックシート操作ボタン表示欄４２４は、印刷ボタン、保存ボタン、キャンセルボタン等、表示されている質問ポイントチェックシートに対する操作を受け付けるためのボタンを表示する欄である。質問票作成ボタン４２５は、表示されている質問ポイントチェックシートに基づいて、質問票の基となる質問リストを生成するためのボタンである。
【００６９】
確認リスト生成部２３０は、質問票生成の対象となっている土木工事（工事部分）と工事属性が共通する回答履歴テーブルに基づいて、重要度が高い確認事項に対応付けて、二重丸（◎）のポイントを表示する。これにより、ユーザは、どの確認事項が他の確認事項に比べて重要度が高いかを、直感的に把握することができる。
【００７０】
図７のステップＳ２０５０において、選択受付部２４０は、ユーザから、未解決の確認事項を選択する操作を受け付ける。
【００７１】
例えば、選択受付部２４０は、表示されている確認用画面４２０（図８参照）において、ユーザが設計図書から確認することができなかった（未解決の）確認事項を、チェック入力欄に対するチェック入れを行うことにより選択する操作を、受け付ける。かかる確認事項は、つまり、発注者に対して質問する必要がある確認事項である。
【００７２】
ステップＳ２０６０において、質問リスト生成部２５０は、留意事項テーブル３１０（図４参照）を参照して、ユーザにより選択された確認事項に対応する質問事項を抽出し、質問リストを生成する。そして、質問リスト生成部２５０は、生成した質問リストを含む質問票作成画面を生成し表示する。
【００７３】
図９は、質問票作成画面の一例を示す図である。
【００７４】
図９に示すように、質問票作成画面４３０は、工事識別情報表示欄４３１、提出日記入欄４３２、質問リスト表示欄４３３、質問票管理画面参照ボタン４３４、および質問リスト操作ボタン表示欄４３５を有する。
【００７５】
工事識別情報表示欄４２１は、質問票生成の対象となっている工事部分が属する、土木工事の識別情報を表示する欄である。提出日記入欄４３２は、質問票の提出日を入力するための欄である。質問リスト表示欄４３３は、抽出された質問事項をリスト化した、質問リストを表示する欄である。なお、質問リストは、質問番号表示欄、工事区分（中分類、小分類、細分類）表示欄、質問事項表示欄、およびマスタ切り替えチェック入力欄から成る、質問項目を、縦に一覧表示している。
【００７６】
質問票管理画面参照ボタン４３４は、クリック操作を受けて、後述の質問票管理画面を表示するためのボタンである。質問リスト操作ボタン表示欄４３５は、提出ボタン、印刷ボタン、保存ボタン、キャンセルボタン等、表示されている内容に基づく質問票に対する操作を受け付けるためのボタンを表示する欄である。
【００７７】
図７のステップＳ２０７０において、編集受付部２６０は、ユーザから、質問事項の編集を受け付ける。
【００７８】
例えば、編集受付部２６０は、表示されている質問票作成画面４３０（図９参照）において、ユーザから、質問事項表示欄の文章に対する編集を受け付ける。これにより、ユーザは、質問票の文章を状況や好みに応じてカスタマイズすることができる。
【００７９】
なお、編集受付部２６０は、編集された質問事項の文章で、テーブル格納部２１０に格納された留意事項テーブル３１０（図４参照）の質問事項の文章を更新してもよい。但し、テーブル格納部２１０は、土木工事質問票生成システム２００が用意したデフォルトの文章についても残しておくことが望ましい。この場合、例えば、編集受付部２６０は、ユーザ操作により、マスタ切り替えチェック入力欄に対してチェックが入れられた質問項目の質問事項については、デフォルトの文章に戻すようにする。
【００８０】
ステップＳ２０８０において、質問票出力部２７０は、質問票作成画面４３０（図９参照）に表示された内容から、適宜編集された質問事項を含む質問票を作成して出力する。例えば、質問票出力部２７０は、質問票作成画面４３０（図９参照）の印刷ボタンがクリックされたとき、プリンタを用いて、質問票を印刷する。
【００８１】
図１０は、質問票の一例を示す図である。
【００８２】
図１０に示すように、質問票４４０は、書類名４４１、提出日４４２、提出先情報４４３、提出元情報４４４、工事名４４５、および質問内容４４６を含む。
【００８３】
提出先情報４４３、提出元情報４４４、および工事名４４５は、例えば、設計書取得部２２０が、ユーザによる入力操作等により予め取得したものである。提出日４４２は、例えば、質問票作成画面４３０（図９参照）にて入力されたものである。質問内容４４６は、質問票作成画面４３０に表示され、適宜編集された質問事項に、「質問１  掘削工」等の識別情報を付したものである。
【００８４】
なお、質問票生成部２９０は、質問票のデータ毎に、各質問事項の質問番号に対して、基の質問内容識別情報を対応付けている。従って、土木工事質問票生成システム２００は、工事番号等の質問票の識別情報と、質問番号とから、確認事項あるいは質問事項の内容を特定することが可能となっている。
【００８５】
このような質問票４４０が印刷されることにより、ユーザは、かかる質問票４４０を提出するだけで、発注者に対して的確な質問を行うことができる。
【００８６】
図７のステップＳ２０９０において、結果記録部２８０は、工事属性と対応付けて、回答履歴テーブルを生成しテーブル格納部２１０に格納させる。そして、結果記録部２８０は、処理を図５のステップＳ３０００へ進める。
【００８７】
図１１は、回答履歴テーブルの一例を示す図である。
【００８８】
図１１に示すように、回答履歴テーブル４５０は、質問票情報欄４５１と、回答情報欄４５２とを、対応付けて配置している。
【００８９】
質問票情報欄４５１には、工事番号、工事名、提出先、提出日、および質問番号等の、質問票情報が記述されている。結果記録部２８０は、質問票出力部２７０から入力された質問票のデータから、これらの質問票情報を抽出して、回答履歴テーブル４５０に記載する。
【００９０】
回答情報欄４５２は、質問票情報欄４５１の質問番号のそれぞれに対応付けて、回答日記録欄、回答区分記録欄、設計変更記録欄、備考記録欄、およびＰＤＦ添付記録欄、を有する。これらの欄は、初期状態ではブランクとなっている。また、回答情報欄４５２は、質問内容識別情報と対応付けられている。
【００９１】
図５のステップＳ３０００において、結果記録部２８０は、質問票に対する発注者からの回答の結果（質問票結果）を参照または記録する旨の指示があったか否かを判断する。結果記録部２８０は、例えば、工事内訳表画面４１０（図６参照）において、カーソル４１５がいずれかの工事部分（例えば、工事区分等の大分類）に合わせられた状態で、質問票管理画面表示ボタン４１４に対するクリック操作が行われたとき、かかる指示があったと判断する。
【００９２】
結果記録部２８０は、質問票結果を参照／記録する旨の指示があった場合（Ｓ３０００：ＹＥＳ）、処理をステップＳ４０００へ進める。また、結果記録部２８０は、質問票結果を参照／記録する旨の指示がない場合（Ｓ３０００：ＮＯ）、処理を後述のステップＳ７０００へ進める。
【００９３】
ステップＳ４０００において、結果記録部２８０は、テーブル格納部２１０に格納された回答履歴テーブル４５０（図１１参照）に基づき、質問票管理画面を生成して表示する。
【００９４】
図１２は、質問票管理画面の一例を示す図である。
【００９５】
図１２に示すように、質問票管理画面４６０は、履歴情報表示欄４６１、質問票参照ボタン４６２、および履歴情報操作ボタン表示欄４６３を有する。
【００９６】
履歴情報表示欄４６１は、回答履歴テーブル４５０（図１１参照）の、指定されている工事部分に対応する領域を、履歴情報として表示する。但し、履歴情報表示欄４６１は、回答区分記録欄および設計変更記録欄のそれぞれに、プルダウンメニューを表示する。
【００９７】
例えば、回答区分記録欄では、「数量変更」、「施工方法変更」等の、予め用意された複数の回答区分内容から、１つを選択する操作が可能となっている。また、設計変更記録欄では、「増額」、「同額」、「減額」という複数の設計変更内容から、１つを選択する操作が可能となっている。更に、備考記録欄では、テキスト情報の入力が可能となっており、ＰＤＦ添付記録欄では、ＰＤＦデータの添付（入力）が可能となっている。
【００９８】
質問票参照ボタン４６２は、クリック操作を受けて、カーソル（図示せず）が併せられている履歴情報に対応する質問票４４１（図１０参照）のデータを表示するためのボタンである。履歴情報操作ボタン表示欄４６３は、保存ボタンやキャンセルボタン等、表示されている履歴情報に対する操作を受け付けるためのボタンを表示する欄である。
【００９９】
このような質問票管理画像４６０に対するユーザの編集操作は、つまり、発注者側から質問回答書が出された土木工事の工事属性に対応付けて、上述の重要度情報を入力する操作に相当する。
【０１００】
図５のステップ５０００において、結果記録部２８０は、質問票管理画面４６０において入力あるいは編集された内容を、回答履歴テーブル４５０（図１１参照）に記録するか否かを判断する。結果記録部２８０は、例えば、質問票管理画面４６０において、キャンセルボタンではなく保存ボタンがクリックされたとき、回答履歴テーブル４５０への記録を行うと判断する。
【０１０１】
結果記録部２８０は、回答履歴テーブル４５０への記録を行う場合（Ｓ５０００：ＹＥＳ）、処理をステップＳ６０００へ進める。また、結果記録部２８０は、回答履歴テーブル４５０への記録を行わない場合、あるいは、入力も編集も行われなかった場合（Ｓ５０００：ＹＥＳ）、処理を後述のステップＳ７０００へ進める。
【０１０２】
ステップＳ６０００において、結果記録部２８０は、質問票管理画面４６０に表示されている内容で、対応する回答履歴テーブル４５０（図１１参照）を更新する。
【０１０３】
なお、確認リスト生成部２３０は、例えば、「増額」が記録されている設計変更記録欄に対応する確認事項を、質問内容識別情報に基づいて特定する。そして、特定した確認事項に対して、二重丸（◎）のポイントを設定する形で、上述の確認リスト編集を行い、確認用画面４２０（図８参照）を表示する。このように、回答履歴テーブル４５０の内容は、確認リストの編集に用いられる。
【０１０４】
そして、ステップＳ７０００において、設計書取得部２２０は、ユーザ操作等により一連の処理の終了を指示されたか否かを判断する。設計書取得部２２０は、処理の終了を指示されていない場合（Ｓ７０００：ＮＯ）、処理をステップＳ１０００へ戻す。また、設計書取得部２２０は、処理の終了を指示された場合（Ｓ７０００：ＹＥＳ）、一連の処理を終了する。
【０１０５】
このような動作により、土木工事質問票生成システム２００は、ユーザ側で確認可能な内容の質問事項を除外し、過不足の無い質問票を簡単に作成して出力することができる。また、土木工事質問票生成システム２００は、質問票に対して発注者側から受け取った回答の内容を、ユーザから逐次受け付けて記録し、その記録内容を他の質問票生成に役立てることができる。
【０１０６】
＜本実施の形態の効果＞
以上のように、本実施の形態に係る土木工事質問票生成システム２００は、工事項目毎に土木工事の金額を算出する際の留意事項を記述した留意事項テーブルを参照する。そして、本実施の形態に係る土木工事質問票生成システム２００は、取得した設計書データに含まれる工事項目に対応する留意事項を抽出し、抽出された留意事項に基づいて、土木工事の質問票を生成する。
【０１０７】
これにより、本実施の形態に係る土木工事質問票生成システム２００は、質問事項に過不足の無い、的確な内容の質問票を、高度な知識と経験を要さずに、少ない労力および時間で、より簡単に生成することができる。
【０１０８】
＜本実施の形態の変形例＞
【０１０９】
なお、土木工事質問票生成システム２００の構成の一部は、ネットワーク上のサーバ等の外部装置に配置され、他の部分と離隔していてもよい。この場合、土木工事質問票生成システム２００は、かかる外部装置と通信を行うための通信部を備える必要がある。
【０１１０】
また、土木工事施工計画書作成支援システム２００は、受注者からの設計内訳書に対応する質問に関して発注者が回答を行うシステムであってもよい。すなわち、土木工事施工計画書作成支援システム２００は、生成された質問票のデータ（質問情報）および質問票に対する回答内容を示すデータを、受注者側のネットワークと、発注者側のネットワークとの間で共有するシステムであってもよい。また、この場合、土木工事施工計画書作成支援システム２００は、かかるデータのやり取りのワークフローまで管理するシステムであってもよい。
【０１１１】
また、土木工事質問票生成システム２００は、質問票ではなく、確認リストを文書化した確認票を生成して出力してもよい。このような確認票は、文章形態が異なるものの、確認すべき内容は共通であり、質問票の一種と捉えることもできる。
【０１１２】
また、留意事項テーブルは、積算基準に基づいて生成されたものに限定されない。すなわち、留意事項は、図面と仕様書とで内容が一致しないことが多い事項、設計図書に誤謬あるいは脱漏していることが多い事項、設計図書における表示が明確でないことが多い事項等、他の各種事項であってもよい。
【０１１３】
また、本開示は、土木工事における質問票の生成のみならず、他の各種工事における質問票の生成に適用してもよい。
【０１１４】
また、本開示により生成される質問票の用途や目的は、上述の例に限定されない。例えば、本開示は、受注後に施工計画作成を行う際に、不明確な点を確定させ抜け漏れのない計画を立てるための、質問票あるいは確認票の生成に適用することができる。また、本開示は、設計変更時に、設計変更による工事金額を適正な額で請求すべく、計画時の条件を明確にするための、質問票あるいは確認票の生成に適用することができる。また、本開示は、発注者向けに工事の設計内訳書に関して明示すべき点を列挙して、条件明示書を作成するための、質問票あるいは確認票の生成に適用することができる。
【産業上の利用可能性】
【０１１５】
本発明は、土木工事における的確な内容の質問票をより簡単に生成することができる、土木工事質問票生成システム、土木工事質問票生成方法、および土木工事質問票生成プログラムとして有用である。
【符号の説明】
【０１１６】
２００  土木工事質問票生成システム
２１０  テーブル格納部
２２０  設計書取得部
２３０  確認リスト生成部
２４０  選択受付部
２５０  質問リスト生成部
２６０  編集受付部
２７０  質問票出力部
２８０  結果記録部
２９０  質問票生成部
【図１】
2016071779.tif 000003
【図３】
2016071779.tif 000004
【図４】
2016071779.tif 000005
【図５】
2016071779.tif 000006
【図６】
2016071779.tif 000007
【図７】
2016071779.tif 000008
【図１１】
2016071779.tif 000009
【図１２】
2016071779.tif 000010
【図２】
2016071779.tif 000011
【図８】
2016071779.tif 000012
【図９】
2016071779.tif 000013
【図１０】
2016071779.tif 000014